【手続補正書】
【提出日】平成18年7月20日(2006.7.20)
【手続補正１】
【補正対象書類名】特許請求の範囲
【補正対象項目名】全文
【補正方法】変更
【補正の内容】
【特許請求の範囲】
【請求項１】
基盤(20)に支持され上下方向に移動可能な直杆状の紙押え部材(31)により、前記基盤(20)上に載置された裁断紙を圧接保持して、前記紙押え部材(31)に沿って切断刃(41)を移動させながら、前記裁断紙を裁断する紙裁断機(10)であって、
前記基盤(20)の最終切断位置側に揺動自在に支持された第１の揺動リンクと、切断開始位置側に揺動自在に支持された第２の揺動リンク(33a,33b) と、前記第１の揺動リンクの自由端と前記第２の揺動リンク(33a,33b) の自由端との間に回動自在に支持されると共に前記紙押え部材(31)の押圧面と反対側の面に沿って該紙押え部材に取り付けられた連接リンク(33c) と、からなる4節リンク列機構（33）を設けたことを特徴とする紙裁断機。
【請求項２】
前記４節リンク列機構(33)は、前記紙押え部材(31)に沿って平行に配された第１の４節リンク列機構(33,33)と第２の４節リンク列機構(33,33)によって構成され、
前記第１の４節リンク列機構(33)の前記第１の揺動リンクは、隣り合う前記第２の４節リンク列機構（33）の前記第２の揺動リンク(33a,33b)とは逆向きに傾斜するように、前記基盤（20）と前記連接リンク(31c)と
の間に介装されたリンク案内部材(34)に設けられたガイド孔(32c,34a)によって位置規制されたことを特徴とする請求項1に記載の紙裁断機。
【請求項３】
前記紙押え部材(31)は、前記基盤(20)に対して所要の間隙をもって配された紙押え板(35)を前記リンク案内部材（34）に取り付けて構成され、前記基盤(20)の長さ方向両側端部に配された上下方向に移動可能な一対の支持部材(32)により前記基盤（20）に支持されてなることを特徴とする請求項２に記載の紙裁断機。
【請求項４】
前記紙押え部材(31)に、前記第２の揺動リンクの自由端又は前記連接リンク(33c) の前記第２の揺動リンクの近傍位置と当接する突出部(31d) を設けたことを特徴とする請求項1〜３のいずれか１つの請求項に記載の紙裁断機。
【請求項５】
前記支持部材(32)は、前記基盤(20)に弾性部材(37)を介して取り付けられたことを特徴とする請求項３又は４に記載の紙裁断機。
【手続補正２】
【補正対象書類名】明細書
【補正対象項目名】０００３
【補正方法】変更
【補正の内容】
【０００３】
従来から用いられているこの種の紙裁断機における紙押え装置として、例えば本出願人により先に提案された紙裁断機（例えば、特許文献１参照。）が提案されている。特許文献１の紙裁断機における紙押え装置は、基盤の長さ方向に、両側端部に互いに平行な傾斜面を有する長尺偏平状の平行四辺形板材からなる二枚の第１及び第２作動杆を並列させ、基盤に対して上下及び水平方向に移動可能に支持している。この場合、各作動杆は、両端部の傾斜面が上下逆向きの傾斜方向となるように配されている。また、同上下逆向きの傾斜面に対向して、第１及び第２可動部材が配されている。
【手続補正３】
【補正対象書類名】明細書
【補正対象項目名】０００４
【補正方法】変更
【補正の内容】
【０００４】
第１及び第２作動杆は、基盤の長さ方向の両側端部において垂直方向に移動可能に支持された第１及び第２可動部材に支持されている。第１及び第２可動部材間には紙押え部材を横架して、紙押え部材の長さ方向の両側端部を支持している。第１及び第２可動部材はコイルバネの弾力にて常に上方に付勢されており、所定の高さ位置となるように配され、紙押え部材と基盤との間には、裁断紙が挿入される間隙が形成されている。紙押え部材には回転刃を装着したスライダが摺動可能に設けられており、紙押え部材の縁を基準として裁断紙の裁断位置に対しての位置決めが行われる。スライダの回転刃の側面は、紙押え部材の縁に接触するように回転し、裁断紙の裁断を行う。
【手続補正４】
【補正対象書類名】明細書
【補正対象項目名】００１８
【補正方法】変更
【補正の内容】
【００１８】
本件請求項１に係る発明は、基盤に支持され上下方向に移動可能な直杆状の紙押え部材により、前記基盤上に載置された裁断紙を圧接保持して、前記紙押え部材に沿って切断刃を移動させながら、前記裁断紙を裁断する紙裁断機であって、前記基盤の最終切断位置側に揺動自在に支持された第１の揺動リンクと、切断開始位置側に揺動自在に支持された第２の揺動リンクと、前記第１の揺動リンクの自由端と前記第２の揺動リンクの自由端との間に回動自在に支持されると共に前記紙押え部材の押圧面と反対側の面に沿って該紙押え部材に取り付けられた連接リンクと、からなる4節リンク列機構を設けたことを特徴とする紙裁断機にある。
【手続補正５】
【補正対象書類名】明細書
【補正対象項目名】００１９
【補正方法】削除
【補正の内容】
【手続補正６】
【補正対象書類名】明細書
【補正対象項目名】００２０
【補正方法】変更
【補正の内容】
【００２０】
請求項２に係る発明は、上記請求項１に係る発明にあって、前記４節リンク列機構は、前記紙押え部材に沿って平行に配された第１の４節リンク列機構と第２の４節リンク列機構によって構成され、前記第１の４節リンク列機構の前記第１の揺動リンクは、隣り合う前記第２の４節リンク列機構（33）の前記第２の揺動リンクとは逆向きに傾斜するように、前記基盤と前記連接リンクと
の間に介装されたリンク案内部材に設けられたガイド孔によって位置規制されたことを特徴としている。
【手続補正７】
【補正対象書類名】明細書
【補正対象項目名】００２１
【補正方法】変更
【補正の内容】
【００２１】
なお、前記第１の揺動リンクが前記第２の揺動リンクよりも僅かに短く設定されていてもよい。
【手続補正８】
【補正対象書類名】明細書
【補正対象項目名】００２２
【補正方法】変更
【補正の内容】
【００２２】
また、前記連接リンクが、板材または線材からなるものであってもよい。
【手続補正９】
【補正対象書類名】明細書
【補正対象項目名】００２３
【補正方法】変更
【補正の内容】
【００２３】
請求項３に係る発明は、上記請求項２に記載の発明にあって、前記紙押え部材は、前記基盤に対して所要の間隙をもって配された紙押え板を前記リンク案内部材に取り付けて構成され、前記基盤の長さ方向両側端部に配された上下方向に移動可能な一対の支持部材により前記基盤に支持されてなることを特徴としている。
【手続補正１０】
【補正対象書類名】明細書
【補正対象項目名】００２４
【補正方法】変更
【補正の内容】
【００２４】
つまり、前記リンク案内空間が、前記紙押え部材と連接リンクの一部と当接するリンク案内部材とにより形成され、前記紙押え部材と前記リンク案内部材との長さ方向の両端は、前記基盤の長さ方向両側端部に配され、上下方向に移動可能な一対の支持部材により支持されていることを特徴としている。
【手続補正１１】
【補正対象書類名】明細書
【補正対象項目名】００２５
【補正方法】変更
【補正の内容】
【００２５】
請求項４に係る発明は、上記請求項１〜３に係る発明にあって、前記紙押え部材に、前記第２の揺動リンクの自由端又は前記連接リンクの前記第２の揺動リンクの近傍位置と当接する突出部を設けたことを特徴としている。
【手続補正１２】
【補正対象書類名】明細書
【補正対象項目名】００２６
【補正方法】変更
【補正の内容】
【００２６】
この場合、前記紙押え部材の前記連接リンクの前記突出部とは反対側の面に、第２の当接突出部を有していてもよい。
【手続補正１３】
【補正対象書類名】明細書
【補正対象項目名】００２７
【補正方法】変更
【補正の内容】
【００２７】
請求項５に係る発明は、上記請求項３又は４に係る発明にあって、前記支持部材は、前記基盤に弾性部材を介して取り付けられたことを特徴としている。
【手続補正１４】
【補正対象書類名】明細書
【補正対象項目名】００２８
【補正方法】変更
【補正の内容】
【００２８】
なお、請求項３〜５に係る発明において、前記支持部材及び前記リンク案内部材は前記第１及び第２の揺動リンク揺動を誘導案内するガイド孔を有するとともに、前記リンク案内部材は前記連接リンクの長さ方向の移動を誘導案内する案内板を有するものであってもよい。
【手続補正１５】
【補正対象書類名】明細書
【補正対象項目名】００２９
【補正方法】変更
【補正の内容】
【００２９】
また、前記紙押え板と前記リンク案内部材との間に第２の弾性部材が介装されていてもよい。
【手続補正１６】
【補正対象書類名】明細書
【補正対象項目名】００３０
【補正方法】変更
【補正の内容】
【００３０】
また、前記紙押え板と前記リンク案内部材とが一体に形成されていてもよい。
【手続補正１７】
【補正対象書類名】明細書
【補正対象項目名】００３１
【補正方法】変更
【補正の内容】
【００３１】
また、前記切断刃が前記紙押え部材に沿って移動する移動体に支持され、前記紙押え部材は前記移動体を摺動案内する案内面を有していてもよい。
【手続補正１８】
【補正対象書類名】明細書
【補正対象項目名】００３２
【補正方法】変更
【補正の内容】
【００３２】
本発明の紙裁断機では、基盤に対して常に平行状態を維持して上下方向に移動する紙押え部材を有するようになり、紙押え部材と基盤との間に設けられた４節リンク列機構によって、前記紙押え部材の長さ方向の全長にわたって裁断紙に対して常に略均等な圧接力を発生させることができる。よって、前記紙押え部材を下方へ押圧する操作力を、前記４節リンク列機構における連接リンクに対して作用される引張り力として利用することができる。
【手続補正１９】
【補正対象書類名】明細書
【補正対象項目名】００３７
【補正方法】変更
【補正の内容】
【００３７】
請求項２の発明によれば、前記紙押え部材の裁断開始位置側における前記第２の揺動リンクを、前記紙押え部材の最終裁断位置とは反対向きに上向き傾斜で配し、最終裁断位置側における前記第１の揺動リンクを前記第２の揺動リンクと同一方向に向けて上向き傾斜で配することができる。
【手続補正２０】
【補正対象書類名】明細書
【補正対象項目名】００３９
【補正方法】変更
【補正の内容】
【００３９】
このような４節リンク列機構を、夫々の第１の揺動リンクと第２の揺動リンクが隣り合うように並べて配置したので、前記紙押え部材の何れの一端部をスライダ等で押下げ操作したときでも、紙押さえ部材は基盤に対して略平行状態を維持したまま下方向へ移動するので、紙押え部材の他端部側が浮き上がるような事態の発生を確実に防止することができる。しかも、同他端部においても十分な押圧力で裁断紙を確実に圧接保持することができる。このように前記４節リンク列機構が簡単な構造であるにも係わらず、紙裁断機の高品質化と低コスト化を実現することができる。
【手続補正２１】
【補正対象書類名】明細書
【補正対象項目名】００４０
【補正方法】変更
【補正の内容】
【００４０】
加えて、前記４節リンク列機構が、前記紙押え部材に沿って平行に配された第１及び第２の４節リンク列機構を２組備え、各組の４節リンク列機構間で隣り合う前記第１及び第２の揺動リンクが、互いに交差して逆向き傾斜で配されるので、各組の４節リンク列機構のそれぞれの連接リンクが互いに逆向きの長さ方向に移動する。
【手続補正２２】
【補正対象書類名】明細書
【補正対象項目名】００４１
【補正方法】変更
【補正の内容】
【００４１】
このため、スライダ等により前記紙押え部材における任意の位置が押下げられると、同紙押え部材が各組の４節リンク列機構の双方を上方から作動させることになる。各組の４節リンク列機構が作動すると、４節リンク列機構の各連接リンクはそれぞれ逆向きに移動しながら、前記紙押え部材の押圧面とは反対側にある連接リンクと当接している面を長さ方向にわたり押圧する。このため、同紙押え部材における任意の位置をスライダ等で押下げても、同紙押え部材は基盤に対して常に平行状態を維持しながら下方向に移動することができ、基盤上に載置した裁断紙を押圧部材の長手方向にわたって略均等に圧接保持することができる。
【手続補正２３】
【補正対象書類名】明細書
【補正対象項目名】００４３
【補正方法】変更
【補正の内容】
【００４３】
スライダ等が前記紙押え部材が裁断開始位置と最終裁断位置との間の中間位置を越えると、他方の組における４節リンク列機構の第２揺動リンクが基点となり、同組の４節リンク列機構の第１揺動リンクが連接リンクの引張り力を受けて従動回動する。このとき、同連接リンクの平行状態を維持した揺動回動によって、前記紙押え部材の長さ方向の全長にわたって紙押え部材を平行状態を維持したまま基盤側に下降動することができる。したがって、前記紙押え部材の押圧面を裁断紙に対して常に安定した状態で強固に圧接保持することができる。
さらに、リンク案内部材のガイド孔によって前記第１及び第２の揺動リンク及び連接リンクを正確に且つ安定して誘導案内することができるので、各リンクのこじれや不良変形等を防止することができ、左右のぶれを防止しながら、円滑に回転操作することができるようになる。したがって、４節リンク列機構の品質を長期間にわたり確保することができる。
【手続補正２４】
【補正対象書類名】明細書
【補正対象項目名】００４８
【補正方法】変更
【補正の内容】
【００４８】
請求項３に係る発明によれば、前記紙押え部材の押圧面には、前記基盤に対して所要の間隙をもって配された紙押え板を有するので、裁断紙の位置ずれを一層防止できる。
【手続補正２５】
【補正対象書類名】明細書
【補正対象項目名】００４９
【補正方法】変更
【補正の内容】
【００４９】
この場合、前記紙押え部材を上下方向に移動させる構造として、前記紙押え部材と前記リンク案内部材との双方が前記一対の支持部材間に横架して支持される構成を採用したので、前記紙押え部材と前記リンク案内部材とが横架支持状態にあるとき、前記押圧面の裏面側に形成される前記紙押え部材に形成した空間は上記リンク案内空間とすることができる。このため、前記紙押え部材と前記リンク案内部材との間を有効に利用することができる。
【手続補正２６】
【補正対象書類名】明細書
【補正対象項目名】００５１
【補正方法】変更
【補正の内容】
【００５１】
同連接リンクは、上述したように前記リンク案内空間内を連接リンクの長さ方向に移動するので、前記連接リンクの裁断開始側端部の下面側に突出部を設けることにより、同突出部の突出領域で前記リンク案内空間の内周面の一部と部分的に接触させ、前記連接リンクの円滑な摺動を確保するようにしてもよい。
【手続補正２７】
【補正対象書類名】明細書
【補正対象項目名】００５２
【補正方法】変更
【補正の内容】
【００５２】
請求項４に係る発明によれば、前記紙押え部材(31)に、前記第２の揺動リンクの自由端又は前記連接リンク(33c) の前記第２の揺動リンクの近傍位置と当接する突出部を配した。この場合、突出部とは反対側の面に、第２の当接突出部を設けてもよい。即ち、前記紙押え部材は、前記連接リンクの少なくとも裁断開始側端部の下面の一部に前記第１当接突出部を配し、同第１当接突出部とは反対側の連接リンクの上面の一部に当接する第２の当接突出部を配し、前記紙押え部材と前記リンク案内部材との間に前記連接リンクを上下方向に挟むようにして部分接触させてもよい。前記連接リンク又は紙押え部材の長さや幅、あるいは形態、構造や素材などに応じて各当接突出部の形成位置を適宜に設定することができる。当接突出部の形成により、前記連接リンクの円滑な摺動が保証することができる。
【手続補正２８】
【補正対象書類名】明細書
【補正対象項目名】００５３
【補正方法】変更
【補正の内容】
【００５３】
請求項５に係る発明によれば、前記支持部材と前記基盤との間に弾性部材が介装されている。この弾性部材としては、例えば圧縮バネを使用することができる。前記弾性部材の付勢力によって、所要の高さをもって前記紙押え部材の紙押え板と基盤の紙載置面との間隙を確保し、同間隙によって裁断紙が挿入される間隙を形成することができる。